(57)【特許請求の範囲】
【請求項１】
電気絶縁性のコネクタ本体と、該コネクタ本体に対を構成して複数対並んで設けてある信号コンタクト及びグランドコンタクトとを有し、各同軸ケーブルが、中心から外側に向かって、内部導体芯線、該内部導体芯線を覆う内部絶縁被覆、該内部絶縁被覆を覆う外部導体網シールド、該外部導体網シールドを覆う外部絶縁被覆を有する構造であり、先端側が処理されて整列している複数本の上記同軸ケーブルの先端に設けられる同軸ケーブルコネクタにおいて、
上記各対を構成する信号コンタクト及びグランドコンタクトは、該コネクタ本体より後方へ突き出ている先端側にＵコンタクト部を有する構成であり、
電気絶縁性を有し、上記コネクタ本体に固定してあり、該信号コンタクト及びグランドコンタクトの該コネクタ本体より後方へ突き出ている部分を支持するコンタクト支持板部材と、
上記複数本の上記同軸ケーブルの処理されている先端側を整列させて支持する同軸ケーブル整列支持部を有し、且つ、上記外部導体網シールドが係合する外部導体網シールド係合金具を有し、上記信号コンタクトのＵコンタクト部及びグランドコンタクトのＵコンタクト部を覆って、上記コンタクト支持板部材の上側に固定された圧接カバーとを有し、
上記外部導体網シールド係合金具は、ばね力によって密着している二枚の板部を有するクリップ状であって、上記各板部に上記外部導体網シールドに対応する大きさのＵ字形状の溝部が形成してあり、上記圧接カバーが上記コンタクト支持板部材の上側に固定されたときに、上記二枚の板部が上記グランドコンタクトの上記Ｕコンタクト部を挟んで、且つ、上記Ｕ字形状の溝部が上記グランドコンタクトの上記Ｕコンタクト部と対向する構成であり、
上記複数本の上記同軸ケーブルの処理されている先端側は、該内部導体芯線が、上記信号コンタクトのＵコンタクト部内に圧接され、上記外部導体網シールドが上記外部導体網シールド係合金具の上記Ｕ字形状の溝部と上記グランドコンタクトのＵコンタクト部との間に挟まれ且つ圧接されることを特徴とする同軸ケーブルコネクタ。
【請求項２】
電気絶縁性のコネクタ本体と、該コネクタ本体に対を構成して複数対並んで設けてある信号コンタクト及びグランドコンタクトとを有し、各同軸ケーブルが、中心から外側に向かって、内部導体芯線、該内部導体芯線を覆う内部絶縁被覆、該内部絶縁被覆を覆う外部導体網シールド、該外部導体網シールドを覆う外部絶縁被覆を有する構造であり、先端側が処理されている複数本の上記同軸ケーブルの先端に設けられる同軸ケーブルコネクタにおいて、
上記各対を構成する信号コンタクト及びグランドコンタクトは、
該コネクタ本体より後方へ突き出ているリード部が上記同軸ケーブルコネクタの高さ方向上重なっており、各リード部の先端側にＵコンタクト部を有し、該信号コンタクトのＵコンタクト部が該グランドコンタクトのＵコンタクト部より該コネクタ本体に近くに位置し、且つ上記グランドコンタクトのリード部に上記信号コンタクトのＵコンタクト部を露出させる開口を有してなり、
上記同軸ケーブルの処理されている先端側は、上記グランドコンタクトのリード部の開口を通り抜けて、上記内部導体芯線が信号コンタクトのＵコンタクト部内に押し込まれて圧接され、上記外部導体網シールドがグランドコンタクトのＵコンタクト部内に押し込まれて圧接されることを特徴とする同軸ケーブルコネクタ。
【請求項３】
電気絶縁性のコネクタ本体と、該コネクタ本体に対を構成して複数対並んで設けてある信号コンタクト及びグランドコンタクトとを有し、各同軸ケーブルが、中心から外側に向かって、内部導体芯線、該内部導体芯線を覆う内部絶縁被覆、該内部絶縁被覆を覆う外部導体網シールド、該外部導体網シールドを覆う外部絶縁被覆を有する構造であり、先端側が処理されている複数本の上記同軸ケーブルの先端に設けられる同軸ケーブルコネクタにおいて、
上記信号コンタクトは、該コネクタ本体より後方へ突き出ているリード部の端側にＵコンタクト部を有する構成であり、
上記信号コンタクトと対をなすグランドコンタクトは、該コネクタ本体より後方へ突き出ているリード部の先端側に、該リード部の先端に形成してあって前記外部導体網シールドを突き破って上記内部絶縁被覆を突き刺す形状の突き刺し用尖部を有するＵ字形状部が、Ｕ字形状部材の内側に圧入された構成の尖部付きＵコンタクト部を有する構成であり、
先端に前記内部導体芯線が露出し且つ前記外部絶縁被覆が途中の一部で削除されて外部導体網シールドの一部が露出されるように処理されている上記同軸ケーブルの先端側が上記内部導体芯線が信号コンタクトのＵコンタクト部内に押し込まれて圧接され、上記の露出している外部導体網シールドの部分がグランドコンタクトの尖部付きＵコンタクト部内に押し込まれて、前記外部導体網シールドが前記Ｕ字形状部材に圧接され、上記尖部が上記の露出している外部導体網シールドを突き破って上記内部絶縁被覆に突き刺さった状態となることを特徴とする同軸ケーブルコネクタ。
【請求項４】
電気絶縁性のコネクタ本体と、該コネクタ本体に対を構成して複数対並んで設けてある信号コンタクト及びグランドコンタクトとを有し、各同軸ケーブルが、中心から外側に向かって、内部導体芯線、該内部導体芯線を覆う内部絶縁被覆、該内部絶縁被覆を覆う外部導体網シールド、該外部導体網シールドを覆う外部絶縁被覆を有する構造であり、先端側が処理されている複数本の上記同軸ケーブルの先端に設けられる同軸ケーブルコネクタにおいて、
上記コネクタ本体は、背面側に金属板バネ製のクリップを有し、
上記信号コンタクトは、該コネクタ本体より後方へ突き出ているリード部の端側にＵコンタクト部を有する構成であり、
上記信号コンタクトと対をなすグランドコンタクトは、上記金属板バネ製のクリップと電気的に接続してあり、
上記同軸ケーブルの外部絶縁被覆の径に対応する大きさの外部絶縁被覆用貫通穴を、上記信号コンタクトと対応する配置で複数有する金属製の第1の挟み板と、
上記同軸ケーブルの内部絶縁被覆の径に対応する大きさの内部絶縁被覆用貫通穴を、上記外部絶縁被覆用貫通穴と対応する配置で複数有する金属製の第２の挟み板とを有し、
上記同軸ケーブルの処理されている先端側が外部絶縁被覆用貫通穴と内部絶縁被覆用貫通穴とを貫通されている状態で、上記第1の挟み板と上記第２の挟み板とが接近されて、上記外部導体網シールドを上記第1の挟み板と上記第２の挟み板との間に挟み込む構成であり、
上記金属板バネ製のクリップは、接近された第1の挟み板と上記第２の挟み板とを弾性的に挟み込む構成であり、
上記同軸ケーブルの処理されている先端側は、上記内部導体芯線が信号コンタクトのＵコンタクト部内に押し込まれて圧接され、上記外部導体網シールドが上記金属板バネ製のクリップ内に挟み込まれた上記第1の挟み板と上記第２の挟み板との間に挟み込まれることを特徴とする同軸ケーブルコネクタ。
【請求項５】
電気絶縁性を有するコネクタ本体と該コネクタ本体に対を構成して複数対並んで設けてある信号コンタクト及びグランドコンタクトとを有し、中心から外側に向かって、内部導体芯線、該内部導体芯線を覆う内部絶縁被覆、該内部絶縁被覆を覆う外部導体網シールド、該外部導体網シールドを覆う外部絶縁被覆を有し、且つ、内部絶縁被覆と外部導体網シールドとの間を延在しているドレイン線を有する構成である複数本の同軸ケーブルの先端に設けられる同軸ケーブルコネクタにおいて、
上記コネクタ本体の後方に、上記の信号コンタクトの半田付け用の端子部及びグランドコンタクトの半田付け用の端子部との間に挟まれて半田付けされて、固定された中継回路基板を有し、
整線部材を上記グランドコンタクトと電気的に接続した状態で、上記中継回路基板に固定して設け、
該整線部材は、電気導通性であり、同軸ケーブルが貫通する同軸ケーブル整線孔を上記信号コンタクトに対応する配置で有し、且つ、各同軸ケーブル整線孔毎に、該同軸ケーブル整線孔より上方へ延在しており、折り曲げられたドレイン線が押し込まれるドレイン線整線溝を有し、
同軸ケーブルの先端部が整線部材の同軸ケーブル貫通孔に嵌合して保持されて整線され、折り曲げたドレイン線がドレイン線整線溝に嵌合して保持されて整線されることを特徴とする同軸ケーブルコネクタ。
【発明の詳細な説明】
【０００１】
【発明の属する技術分野】
本発明は同軸ケーブルの先端に設けられる同軸ケーブルコネクタに係り、特に、線径が細い複数本の同軸ケーブルの先端に設けられる同軸ケーブルコネクタに関する。
【０００２】
近年、高速信号伝送に対応するため、信号伝送線としてノイズの影響を受け難い同軸ケーブルの需要が高まっている。複数種類の信号を伝送する電子情報機器間には、同軸ケーブルのうち、線径が細い細線同軸ケーブルが複数本並んだ状態で配線してある。電子情報機器間は、上記の同軸ケーブルコネクタを利用して接続してある。
【０００３】
【従来の技術】
図１（Ａ），（Ｂ）は、従来の細線同軸ケーブルコネクタ１０を示す。図２（Ａ），（Ｂ）は、細線同軸ケーブル３０の先端部を示す。細線同軸ケーブル３０は、径が２ｍｍ程度であり、中心から外側に向かって、内部導体芯線３１、この内部導体芯線３１を覆う内部絶縁被覆３２、この内部絶縁被覆３２を覆う外部導体網シールド３３、この外部導体網シールド３３を覆う外部絶縁被覆３４を有する構造である。細線同軸ケーブル３０の先端部は、図２（Ｂ）に示すように、内部導体芯線３１、内部絶縁被覆３２、及び外部導体網シールド３３が露出するように処理されている。細線同軸ケーブル３０のインピーダンスを所定の値にするために、内部絶縁被覆３２には、ナイロン系の架橋発泡材が使用されている。このナイロン系の架橋発泡材は軟質である。
【０００４】
細線同軸ケーブルコネクタ１０は、コネクタ本体１１と、複数対の信号コンタクト１２及びグランドコンタクト１３と、中継回路基板１４とよりなる構成である。中継回路基板１４は、上面に、端子パッド１５，１６，１７がＹ１−Ｙ２方向に整列して、Ｘ１−Ｘ２方向に複数列形成してある。端子パッド１５と端子パッド１６との間は、配線パターン１８で接続してある。中継回路基板１４の下面には、端子パッド１９が形成してある。端子パッド１９と端子パッド１７との間は、配線パターン２０及びビア２１を介して接続してある。この中継回路基板１４は、信号コンタクト１２とグランドコンタクト１３との間に挟まれて、且つ、信号コンタクト１２と端子パッド１５とが半田付けされて、且つ、グランドコンタクト１３と端子パッド１６とが半田付けされた状態で、コネクタ本体１１の背面側からＹ２方向に突き出ている。
【０００５】
上記の構成の細線同軸ケーブルコネクタ１０と細線同軸ケーブル３０の処理されている先端部とは、内部導体芯線３１を端子パッド１６に半田２２によって半田付けされて、且つ、外部導体網シールド３３を端子パッド１７に半田２３によって半田付けされて接続してある。なお、多数本の細線同軸ケーブル３０は一本の太いケーブルの端からばらばらに延びているものである。
【０００６】
【発明が解決しようとする課題】
細線同軸ケーブルコネクタ１０と複数本の細線同軸ケーブル３０とを半田付けして接続することは、多くの工数がかかり、コスト増となってしまう。また、半田付けの場合には、半田付け不良が発生しやすく、また、フラックスによって端子パッドに汚れが付着したりし、更には熱の影響を受けることによって、信頼性の点でも問題があった。
【０００７】
そこで、本発明は、上記課題を解決した同軸ケーブルコネクタを提供することを目的とする。
【０００８】
【課題を解決するための手段】
請求項１の発明は、電気絶縁性のコネクタ本体と、該コネクタ本体に対を構成して複数対並んで設けてある信号コンタクト及びグランドコンタクトとを有し、各同軸ケーブルが、中心から外側に向かって、内部導体芯線、該内部導体芯線を覆う内部絶縁被覆、該内部絶縁被覆を覆う外部導体網シールド、該外部導体網シールドを覆う外部絶縁被覆を有する構造であり、先端側が処理されて整列している複数本の上記同軸ケーブルの先端に設けられる同軸ケーブルコネクタにおいて、
上記各対を構成する信号コンタクト及びグランドコンタクトは、該コネクタ本体より後方へ突き出ている先端側にＵコンタクト部を有する構成であり、
電気絶縁性を有し、上記コネクタ本体に固定してあり、該信号コンタクト及びグランドコンタクトの該コネクタ本体より後方へ突き出ている部分を支持するコンタクト支持板部材と、
上記複数本の上記同軸ケーブルの処理されている先端側を整列させて支持する同軸ケーブル整列支持部を有し、且つ、上記外部導体網シールドが係合する外部導体網シールド係合金具を有し、上記信号コンタクトのＵコンタクト部及びグランドコンタクトのＵコンタクト部を覆って、上記コンタクト支持板部材の上側に固定された圧接カバーとを有し、
上記外部導体網シールド係合金具は、ばね力によって密着している二枚の板部を有するクリップ状であって、上記各板部に上記外部導体網シールドに対応する大きさのＵ字形状の溝部が形成してあり、上記圧接カバーが上記コンタクト支持板部材の上側に固定されたときに、上記二枚の板部が上記グランドコンタクトの上記Ｕコンタクト部を挟んで、且つ、上記Ｕ字形状の溝部が上記グランドコンタクトの上記Ｕコンタクト部と対向する構成であり、
上記複数本の上記同軸ケーブルの処理されている先端側は、該内部導体芯線が、上記信号コンタクトのＵコンタクト部内に圧接され、上記外部導体網シールドが上記外部導体網シールド係合金具の上記Ｕ字形状の溝部と上記グランドコンタクトのＵコンタクト部との間に挟まれ且つ圧接されるようにしたものである。
【０００９】
複数本の同軸ケーブルの処理されている先端側を同軸ケーブルコネクタに接続させる際に、半田付け作業が不要となる。
【００１０】
請求項２の発明は、電気絶縁性のコネクタ本体と、該コネクタ本体に対を構成して複数対並んで設けてある信号コンタクト及びグランドコンタクトとを有し、各同軸ケーブルが、中心から外側に向かって、内部導体芯線、該内部導体芯線を覆う内部絶縁被覆、該内部絶縁被覆を覆う外部導体網シールド、該外部導体網シールドを覆う外部絶縁被覆を有する構造であり、先端側が処理されている複数本の上記同軸ケーブルの先端に設けられる同軸ケーブルコネクタにおいて、
上記各対を構成する信号コンタクト及びグランドコンタクトは、
該コネクタ本体より後方へ突き出ているリード部が上記同軸ケーブルコネクタの高さ方向上重なっており、各リード部の先端側にＵコンタクト部を有し、該信号コンタクトのＵコンタクト部が該グランドコンタクトのＵコンタクト部より該コネクタ本体に近くに位置し、且つ上記グランドコンタクトのリード部に上記信号コンタクトのＵコンタクト部を露出させる開口を有してなり、
上記同軸ケーブルの処理されている先端側は、上記グランドコンタクトのリード部の開口を通り抜けて、上記内部導体芯線が信号コンタクトのＵコンタクト部内に押し込まれて圧接され、上記外部導体網シールドがグランドコンタクトのＵコンタクト部内に押し込まれて圧接されるようにしたものである。
【００１１】
複数本の同軸ケーブルの処理されている先端側を同軸ケーブルコネクタに接続させる際に、半田付け作業が不要となる。
【００１２】
請求項３の発明は、電気絶縁性のコネクタ本体と、該コネクタ本体に対を構成して複数対並んで設けてある信号コンタクト及びグランドコンタクトとを有し、各同軸ケーブルが、中心から外側に向かって、内部導体芯線、該内部導体芯線を覆う内部絶縁被覆、該内部絶縁被覆を覆う外部導体網シールド、該外部導体網シールドを覆う外部絶縁被覆を有する構造であり、先端側が処理されている複数本の上記同軸ケーブルの先端に設けられる同軸ケーブルコネクタにおいて、
上記信号コンタクトは、該コネクタ本体より後方へ突き出ているリード部の端側にＵコンタクト部を有する構成であり、
上記信号コンタクトと対をなすグランドコンタクトは、該コネクタ本体より後方へ突き出ているリード部の先端側に、該リード部の先端に形成してあって前記外部導体網シールドを突き破って上記内部絶縁被覆を突き刺す形状の突き刺し用尖部を有するＵ字形状部が、Ｕ字形状部材の内側に圧入された構成の尖部付きＵコンタクト部を有する構成であり、
先端に前記内部導体芯線が露出し且つ前記外部絶縁被覆が途中の一部で削除されて外部導体網シールドの一部が露出されるように処理されている上記同軸ケーブルの先端側が上記内部導体芯線が信号コンタクトのＵコンタクト部内に押し込まれて圧接され、上記の露出している外部導体網シールドの部分がグランドコンタクトの尖部付きＵコンタクト部内に押し込まれて、前記外部導体網シールドが前記Ｕ字形状部材に圧接され、上記尖部が上記の露出している外部導体網シールドを突き破って上記内部絶縁被覆に突き刺さった状態となることようにしたものである。
【００１３】
複数本の同軸ケーブルの処理されている先端側を同軸ケーブルコネクタに接続させる際に、半田付け作業が不要となる。
【００１４】
請求項４の発明は、電気絶縁性のコネクタ本体と、該コネクタ本体に対を構成して複数対並んで設けてある信号コンタクト及びグランドコンタクトとを有し、各同軸ケーブルが、中心から外側に向かって、内部導体芯線、該内部導体芯線を覆う内部絶縁被覆、該内部絶縁被覆を覆う外部導体網シールド、該外部導体網シールドを覆う外部絶縁被覆を有する構造であり、先端側が処理されている複数本の上記同軸ケーブルの先端に設けられる同軸ケーブルコネクタにおいて、
上記コネクタ本体は、背面側に金属板バネ製のクリップを有し、
上記信号コンタクトは、該コネクタ本体より後方へ突き出ているリード部の端側にＵコンタクト部を有する構成であり、
上記信号コンタクトと対をなすグランドコンタクトは、上記金属板バネ製のクリップと電気的に接続してあり、
上記同軸ケーブルの外部絶縁被覆の径に対応する大きさの外部絶縁被覆用貫通穴を、上記信号コンタクトと対応する配置で複数有する金属製の第1の挟み板と、
上記同軸ケーブルの内部絶縁被覆の径に対応する大きさの内部絶縁被覆用貫通穴を、上記外部絶縁被覆用貫通穴と対応する配置で複数有する金属製の第２の挟み板とを有し、
上記同軸ケーブルの処理されている先端側が外部絶縁被覆用貫通穴と内部絶縁被覆用貫通穴とを貫通されている状態で、上記第1の挟み板と上記第２の挟み板とが接近されて、上記外部導体網シールドを上記第1の挟み板と上記第２の挟み板との間に挟み込む構成であり、
上記金属板バネ製のクリップは、接近された第1の挟み板と上記第２の挟み板とを弾性的に挟み込む構成であり、
上記同軸ケーブルの処理されている先端側は、上記内部導体芯線が信号コンタクトのＵコンタクト部内に押し込まれて圧接され、上記外部導体網シールドが上記金属板バネ製のクリップ内に挟み込まれた上記第1の挟み板と上記第２の挟み板との間に挟み込まれるようにしたものである。
【００１５】
複数本の同軸ケーブルの処理されている先端側を同軸ケーブルコネクタに接続させる際に、半田付け作業が不要となる。
【００２２】
請求項５の発明は、電気絶縁性を有するコネクタ本体と該コネクタ本体に対を構成して複数対並んで設けてある信号コンタクト及びグランドコンタクトとを有し、中心から外側に向かって、内部導体芯線、該内部導体芯線を覆う内部絶縁被覆、該内部絶縁被覆を覆う外部導体網シールド、該外部導体網シールドを覆う外部絶縁被覆を有し、且つ、内部絶縁被覆と外部導体網シールドとの間を延在しているドレイン線を有する構成である複数本の同軸ケーブルの先端に設けられる同軸ケーブルコネクタにおいて、
上記コネクタ本体の後方に、上記の信号コンタクトの半田付け用の端子部及びグランドコンタクトの半田付け用の端子部との間に挟まれて半田付けされて、固定された中継回路基板を有し、
整線部材を上記グランドコンタクトと電気的に接続した状態で、上記中継回路基板に固定して設け、
該整線部材は、電気導通性であり、同軸ケーブルが貫通する同軸ケーブル整線孔を上記信号コンタクトに対応する配置で有し、且つ、各同軸ケーブル整線孔毎に、該同軸ケーブル整線孔より上方へ延在しており、折り曲げられたドレイン線が押し込まれるドレイン線整線溝を有し、
同軸ケーブルの先端部が整線部材の同軸ケーブル貫通孔に嵌合して保持されて整線され、折り曲げたドレイン線がドレイン線整線溝に嵌合して保持されて整線されるようにしたものである。
【００２３】
複数本の同軸ケーブルの処理されている先端側を同軸ケーブルコネクタに接続させる際に、半田付け作業が不要となる。
【００２４】
【発明の実施の形態】
[第１実施例]
図３乃至図５は本発明の第１実施例になる細線同軸ケーブルコネクタ４０を示す。細線同軸ケーブルコネクタ４０は、コネクタ本体５１と、複数対の信号コンタクト４２及びグランドコンタクト４３と、コンタクト支持板部材４４と、圧接カバー４５と、全体を覆うシールドカバーとを有する。この細線同軸ケーブルコネクタ４０は、図２に示す細線同軸ケーブル３０に適用される。シールドカバーは図示の便宜上省略してある。これは、他の実施例についても同様である。
【００２５】
コネクタ本体４１は、電気絶縁性であり、略直方体形状を有し、前面に相手方のコネクタが挿入されるコネクタ挿入口４１ａを有する。
【００２６】
信号コンタクト４２は、コネクタ本体４１を貫通して固定してあり、Ｙ１方向の端に、端子部４２ａを有し、コネクタ本体４１より後方（Ｙ２方向）に突き出でおり、途中にクランク状に曲げられた曲がり部４２ｂ１を有するリード部４２ｂを有し、Ｙ２方向端に、Ｚ１方向に立ち上がっているフォーク形状のＵコンタクト部４２ｃを有する形状である。Ｕコンタクト部４２ｃは、細線同軸ケーブル３０の内部導体芯線３１に対応する寸法を有する。
【００２７】
グランドコンタクト４３は、コネクタ本体４１を貫通して固定してあり、Ｙ１方向の端に、端子部４３ａを有し、コネクタ本体５１より後方（Ｙ２方向）に突き出でいる直線状のリード部４３ｂを有し、Ｙ２方向端に、Ｚ１方向に立ち上がっているＵコンタクト部４３ｃを有する形状である。Ｕコンタクト部４３ｃは細線同軸ケーブル３０の外部導体網シールド３３ｃに対応する寸法を有する。信号コンタクト４２のＵコンタクト部４２ｃとグランドコンタクト４３のＵコンタクト部４３ｃとは、Ｕコンタクト部４２ｃがコネクタ本体４１の近くに位置し、Ｕコンタクト部４３ｃがコネクタ本体４１より遠くに位置し、且つ、Ｕコンタクト部４２ｃとＵコンタクト部４３ｃとは、Ｙ１−Ｙ２方向上一直線状に並んでいる。
【００２８】
コンタクト支持板部材４４は、電気絶縁性であり、略板状を有し、信号コンタクト４２のリード部４２ｂ及びＵコンタクト部４２ｃを支持すると共に位置決めする溝部４４ａ、及びグランドコンタクト４３のリード部４３ｂ及びＵコンタクト部４３ｃを支持すると共に位置決めする溝部４４ｂを有する。このコンタクト支持板部材４４は、Ｘ１−Ｘ２方向上の両端側の凸部４４ｃをコネクタ本体４１の凹み部４１ｂに係合させてコネクタ本体４１の背面側に固定してあり、溝部４４ａが信号コンタクト４２のリード部４２ｂ及びＵコンタクト部４２ｃを支持すると共に位置決めしており、溝部４４ｂがグランドコンタクト４３のリード部４３ｂ及びＵコンタクト部４３ｃを支持すると共に位置決めしている。
【００２９】
図5及び図６は、圧接カバー４５を表裏反転した状態で示す。圧接カバー４５は、電気絶縁性であり、略板状を有し、取り付けた状態で下側となる面４５ａに、多数本の細線同軸ケーブル３０をＸ１−Ｘ２方向に整列させた状態で保持する櫛歯状の細線同軸ケーブル整列部４５ｂを有する。細線同軸ケーブル整列部４５ｂは、Ｙ１方向の端から順に、内部絶縁被覆３２を挟んで保持する第１の挟み保持歯部４５ｃ、内部絶縁被覆３２を挟んで保持する第２の挟み保持歯部４５ｄ、及び外部絶縁被覆３４を挟んで保持する第３の挟み保持歯部４５ｅが、Ｙ１−Ｙ２方向に直線状に整列している構成である。この細線同軸ケーブル整列部４５ｂは、信号コンタクト４２及びグランドコンタクト４３のリード部４２ｂ、４３ｂ及びＵコンタクト部４２ｃ、４３ｃに対応して形成してある。また、圧接カバー４５の面４５ａ上には、第２の挟み保持歯部４５ｄと第３の挟み保持歯部４５ｅとの間に、金具４６が固定してある。金具４６は、クリップ状であり、ばね力によって密着している二枚の板部４６ａ，４６ｂを有し、各板部４６ａ，４６ｂには外部導体網シールド３３ｃに対応する大きさのＵ字形状の溝部４６ｃが形成してある。
【００３０】
また、圧接カバー４５は、コンタクト支持板部材４４の上面にこれを覆うように取り付けられ、凹凸係合して固定される。
【００３１】
次に、細線同軸ケーブルコネクタ４０を多数本の細線同軸ケーブル３０の先端側に取り付ける作業について説明する。
【００３２】
まず、細線同軸ケーブル３０の先端部を、図６（Ｂ）に示すように処理する。外部絶縁被覆３４が一部削除してあり、外部導体網シールド３３は露出されている。外部導体網シールド３３が一部削除してあり、内部絶縁被覆３２は露出されている。内部絶縁被覆３２は削除されていず、内部導体芯線３１は露出されていない。
【００３３】
次に、圧接カバー４５を外し、細線同軸ケーブル３０を一本ずつその処理してある先端部を圧接カバー４５の細線同軸ケーブル整列部４５ｂに図６（Ｂ）に矢印Aで示すように押し込んで、図６（A）に示すように、内部絶縁被覆３２を第１の挟み保持歯部４５ｃ及び第２の挟み保持歯部４５ｄに挟み込み、外部導体網シールド３３を金具４６のＵ字形状の溝部４６ｃに押し込み、外部絶縁被覆３４を第３の挟み保持歯部４５ｅに挟み込んで保持させる。これによって、図７に示すように、所定数の細線同軸ケーブル３０が、夫々の先端部を細線同軸ケーブル整列部４５ｂに保持されてＸ１−Ｘ２方向に整列されて整線された状態となる。
【００３４】
最後に、所定数の細線同軸ケーブル３０が整線された圧接カバー４５を、表裏反転させ、コンタクト支持板部材４４の上面にこれを覆うようにし、Z２方向に強く押し込んで係合させて固定させる。強く押し込むときにも、信号コンタクト４２のＵコンタクト部４２ｃ及びグランドコンタクト４３のＵコンタクト部４３ｃは、コンタクト支持板部材４４によってその高さ位置に保たれる。
【００３５】
この強く押し込む過程で、内部絶縁被覆３２の部分は、図４（B）、（C）に示すように、信号コンタクト４２のＵコンタクト部４２ｃ内に押し込まれ、内部絶縁被覆３２が破られて、内部導体芯線３１がＵコンタクト部４２ｃと圧接された状態となる。
また、図４（D）、（E）に示すように、グランドコンタクト４３のＵコンタクト部４３ｃが金具４６の二枚の板部４６ａ，４６ｂの間に相対的に挿入され、外部導体網シールド３３は、グランドコンタクト４３のＵコンタクト部４３ｃ内に押し込まれ、対向する金具４６のＵ字形状の溝部４６ｃとＵコンタクト部４３ｃとの間に挟まれて、力Fが全周から作用されて、金具４６とＵコンタクト部４３ｃとに圧接された状態となる。
【００３６】
圧接カバー４５に整線されている全ての細線同軸ケーブル３０が一括して対応するＵコンタクト部４２ｃ、４３ｃ及び金具４６に、圧接される。
【００３７】
以上の作業によって、細線同軸ケーブルコネクタ４０を多数本の細線同軸ケーブル３０の先端側に取り付けられる。この作業には、半田付け作業がない。よって、細線同軸ケーブルコネクタ４０を多数本の細線同軸ケーブル３０の先端側に取り付ける作業は、細線同軸ケーブルを一本ずつ半田付けしていた従来に比べて格段に少ない工数で済む。また、細線同軸ケーブルコネクタ４０の各細線同軸ケーブル３０との電気的接続の信頼性は、細線同軸ケーブルを一本ずつ半田付けしていた従来に比べて高くなる。
【００３８】
図3及び図４は、細線同軸ケーブルコネクタ４０が多数本の細線同軸ケーブル３０の先端側に取り付けられた状態を示す。
【００３９】
また、図４（D）、（E）に示すように、グランドコンタクト４３のＵコンタクト部４３ｃが金具４６の二枚の板部４６ａ，４６ｂの間に相対的に挿入され、外部導体網シールド３３は、グランドコンタクト４３のＵコンタクト部４３ｃ内に押し込まれ、対向する金具４６とＵコンタクト部４３ｃとの間に挟まれて、力Fが全周から作用されて、金具４６とＵコンタクト部４３ｃとに圧接された状態となり、圧接が確実となる。
【００４０】
また、グランドコンタクト４３のＵコンタクト部４３ｃは金具４６の二枚の板部４６ａ，４６ｂの間に挟まれて位置を拘束される。このことによっても、外部導体網シールド３３の圧接は確実となる。
【００４１】
図８（A）,（B）は、図4中の金具４６を設けない場合の外部導体網シールド３３の圧接状態を示す。内部絶縁被覆３２は、ナイロン系の架橋発泡材であり、柔らかい。このため、細線同軸ケーブル３０の外部導体網シールド３３の部分を図８（A）に矢印Bで示すようにＵコンタクト部４３ｃ内に圧入した場合に、内部絶縁被覆３２は図８（B）に示すようにＵコンタクト部４３ｃの入り口の方向に変形して楕円形に変形してしまう。このため、外部導体網シールド３３のＵコンタクト部４３ｃへの圧接力が低くなってしまい、好ましくない。上記の金具４６は、内部絶縁被覆３２がＵコンタクト部４３ｃの入り口の方向に変形することを制限するように機能する。
【００４２】
[第２実施例]
図９（A）、（B）は本発明の第２実施例になる細線同軸ケーブルコネクタ５０を示す。細線同軸ケーブルコネクタ５０は、図２に示す細線同軸ケーブル３０が適用されるものであり、電気絶縁性のコネクタ本体５１と、コネクタ本体５１に固定してあり、X1−X２に並んでいる複数対の信号コンタクト５２及びグランドコンタクト５３とを有する。
【００４３】
Z１−Z２方向上、信号コンタクト５２は下側（Z２方向側）に、これと対をなすグランドコンタクト５３は上側（Z１方向側）に位置しており、重なっている。
【００４４】
信号コンタクト５２は、Ｙ１方向の端に端子部５２ａを有し、コネクタ本体５１より後方に突き出たリード部５２ｂの先端に、上向きのＵコンタクト部５２ｃを有する。
【００４５】
グランドコンタクト５３は、Ｙ１方向の端に端子部５３ａを有し、コネクタ本体５１より後方に突き出たリード部５３ｂの先端に、Ｕコンタクト部５３ｃを有する。Ｕコンタクト部５３ｃは信号コンタクト５２のＵコンタクト部５２ｃよりもＹ２方向にずれて位置している。グランドコンタクト５３のリード部５３ｂのＹ２方向の端には、下向き折り曲げ部５３ｄを有する。リード部５３ｂから折り曲げ部５３ｄにまで及ぶ範囲に、開口５３ｅが形成してある。この開口５３ｅを通して、上方から、信号コンタクト５２のＵコンタクト部５２ｃ及びグランドコンタクト５３のＵコンタクト部５３ｃに接近することが可能である。
【００４６】
次に、細線同軸ケーブル３０の先端側を細線同軸ケーブルコネクタ５０に接続させる作業について説明する。
【００４７】
まず、細線同軸ケーブル３０の先端部を、図９（A）、（B）に示すようにＵコンタクト部５２ｃ、５３ｃに対応させて処理する。図６と異なり、内部絶縁被覆３２も削除されており、内部導体芯線３１が露出している。
【００４８】
細線同軸ケーブル３０の先端の部分を、図９（A）、（B）に示すように、グランドコンタクト５３の上側に位置させ、グランドコンタクト５３及び信号コンタクト５２に対するＹ１−Ｙ２方向の位置を、内部導体芯線３１が信号コンタクト５２のＵコンタクト部５２ｃに対向するように定める。
【００４９】
この状態で、細線同軸ケーブル３０を矢印Ｃで示すように押し下げる。これによって、開口５３ｅを通り抜けて、内部導体芯線３１は信号コンタクト５２のＵコンタクト部５２ｃ内に押し込まれて圧接され、外部導体網シールド３３はグランドコンタクト５３のＵコンタクト部５３ｃ内に押し込まれて圧接される。即ち、内部導体芯線３１と外部導体網シールド３３とが同時に圧接される。
【００５０】
よって、細線同軸ケーブルコネクタ５０を多数本の細線同軸ケーブル３０の先端側に取り付ける作業は、半田付けを行わずになされ、細線同軸ケーブルを一本ずつ半田付けしていた従来に比べて格段に少ない工数で済む。
【００５１】
[第３実施例]
図１０（A）、（B）は本発明の第３実施例になる細線同軸ケーブルコネクタ６０を示す。細線同軸ケーブルコネクタ６０は、図２に示す細線同軸ケーブル３０が適用されるものであり、電気絶縁性のコネクタ本体６１と、コネクタ本体６１に固定してあり、X1−X２に並んでいる複数対の信号コンタクト６２及びグランドコンタクト６３とを有する。
【００５２】
Z１−Z２方向上、信号コンタクト６２は上側（Z１方向側）に位置しており、これと対をなすグランドコンタクト５３は下側（Z２方向側）に、上側（Z１方向側）に位置しており、重なっている。
【００５３】
信号コンタクト６２は、Ｙ１方向の端に端子部６２ａを有し、コネクタ本体６１より後方に突き出たリード部６２ｂの先端に、上向きのＵコンタクト部６２ｃを有する。
【００５４】
グランドコンタクト６３は、Ｙ１方向の端に端子部６３ａを有し、コネクタ本体６１より後方に突き出たリード部６３ｂの先端に、上向きの尖部付きＵコンタクト部６３ｃを有する。尖部付きＵコンタクト部６３ｃは、内側に突き刺し用尖部６３A１，６３A２を有する構成であり、信号コンタクト６２のＵコンタクト部６２ｃよりもＹ２方向にずれて位置している。
【００５５】
このグランドコンタクト部６３ｃは、図１１に示すように、グランドコンタクト本体６３Aの先端のU字形状部６３A３をU字形状部材６３Ｂに圧入した構造である。U字形状部６３A３が、突き刺し用尖部６３A１，６３A２を有する。
【００５６】
次に、細線同軸ケーブル３０の先端側を細線同軸ケーブルコネクタ６０に接続させる作業について説明する。
【００５７】
まず、細線同軸ケーブル３０の先端部を、図１０（A）、（B）に示すようにＵコンタクト部６２ｃ及び尖部付きＵコンタクト部６３ｃに対応させて処理する。図６と異なり、内部絶縁被覆３２も削除されており、先端部で内部導体芯線３１が露出しており、且つ、外部絶縁被覆３４が途中の一部で削除してあり、外部導体網シールド３３は途中の一部で露出されている。
【００５８】
細線同軸ケーブル３０の先端の部分を、図１０（A）、（B）に示すように、信号コンタクト６２及びグランドコンタクト６３の上側に位置させ、内部導体芯線３１がＵコンタクト部６２ｃ、外部絶縁被覆３４が尖部付きＵコンタクト部６３ｃに対向するように定める。
【００５９】
この状態で、細線同軸ケーブル３０を矢印Dで示すように押し下げる。これによって、内部導体芯線３１はＵコンタクト部６２ｃ内に押し込まれて圧接され、外部導体網シールド３３は尖部付きＵコンタクト部６３ｃ内に押し込まれて圧接される。即ち、内部導体芯線３１と外部導体網シールド３３とが同時に圧接される。
【００６０】
よって、細線同軸ケーブルコネクタ６０を多数本の細線同軸ケーブル３０の先端側に取り付ける作業は、半田付けを行わずになされ、細線同軸ケーブルを一本ずつ半田付けしていた従来に比べて格段に少ない工数で済む。
【００６１】
なお、尖部付きＵコンタクト部６３ｃについてみると、図１２に拡大して示すように、突き刺し用尖部６３A１，６３A２が外部導体網シールド３３を突き破って内部絶縁被覆３２に突き刺さった状態となる。これによって、細線同軸ケーブル３０の細線同軸ケーブルコネクタ６０への固定は圧接だけの場合よりしっかりなされ、細線同軸ケーブル３０がひどく振動したような場合でも外れない。
【００６２】
[第４実施例]
図１３（A）、（B）は本発明の第４実施例になる細線同軸ケーブルコネクタ７０を示す。細線同軸ケーブルコネクタ７０は、図２に示す細線同軸ケーブル３０が適用されるものであり、電気絶縁性のコネクタ本体７１と、コネクタ本体７１に固定してあり、X1−X２に並んでいる複数対の信号コンタクト７２及びグランドコンタクト７３と、コネクタ本体７１の下面より背面側に突き出している水平の支持板７４と、支持板７４上に固定してあるクリップ７５と、第1の挟み板７６と、第２の挟み板７７とを有する。
【００６３】
支持板７４の上面には、支持板７４の上面には、べたのグランドパターン７４ａが形成してある。複数のクリップ７５は、グランドパターン７４ａに半田付けされて支持板７４の上面に固定してあり、X1−X２に並んでいる。クリップ７５は金属板バネ製であり、U字形状を有し、重なった状態の第1の挟み板７６と第２の挟み板７７とが弾性的に差し込まれるサイズを有する。
【００６４】
信号コンタクト７２は、Ｙ１方向の端に端子部７２ａを有し、コネクタ本体６１より後方に突き出たリード部７２ｂの先端に、上向きのＵコンタクト部７２ｃを有する。
【００６５】
グランドコンタクト７３は、Ｙ１方向の端に端子部７３ａを有し、コネクタ本体６１より後方に突き出たリード部の先端が支持板７４の上面のグランドパターン７４ａと電気的に接続されている。
【００６６】
図１４に示すように、第1の挟み板７６は、金属製であり、同軸ケーブル３０の外部絶縁被覆３４の径に対応する大きさの外部絶縁被覆用貫通穴７６ａが、複数個、信号コンタクト７２と対応する配置で形成してある。
【００６７】
同じく、図１４に示すように、第２の挟み板７７は、金属製であり、同軸ケーブル３０の内部絶縁被覆３２に対応する大きさの外部絶縁被覆用貫通穴７６ａが、複数個、第1の挟み板７６の外部絶縁被覆用貫通穴７６ａと対応する配置で形成してある。
【００６８】
次に、細線同軸ケーブル３０の先端側を細線同軸ケーブルコネクタ７０に接続させる作業について説明する。
【００６９】
まず、細線同軸ケーブル３０の先端部を、図１４（A）に示すように処理する。
【００７０】
次に、図１４（A）に示すように、第1の挟み板７６と第２の挟み板７７とを離して配し、細線同軸ケーブル３０の処理した先端側を外部絶縁被覆用貫通穴７６ａと内部絶縁被覆用貫通穴７７ａとに貫通させ、露出されている外部導体網シールド３３が第1の挟み板７６と第２の挟み板７７との間に位置するようにする。
次いで、第２の挟み板７７を、矢印Eで示すように、第1の挟み板７６に、それ以上接近できない状態まで接近させる。図１４（B）は、第２の挟み板７７を、第1の挟み板７６に最終状態まで接近させて重なった状態を示す。
【００７１】
第２の挟み板７７を第1の挟み板７６に接近させる過程で、第２の挟み板７７が外部導体網シールド３３の先端側を係止して押して内部絶縁被覆３２から掻き取るようにして放射状に広げる。第２の挟み板７７と第1の挟み板７６との間に、外部導体網シールド３３が挟み込まれる。符号３３Aは、放射状に広げられて第２の挟み板７７と第1の挟み板７６との間に挟み込まれた外部導体網シールドを示す。
【００７２】
次いで、重なった状態の第1の挟み板７６と第２の挟み板７７とを、図１４（B）中、矢印Fで示すように、クリップ７５内に押し込む。
【００７３】
最後に、内部導体芯線３１をＵコンタクト部７２ｃ内に押し込んで圧接させる。
【００７４】
これによって、図１３（A）、（B）に示すように、第1の挟み板７６と第２の挟み板７７とがクリップ７５内に弾性的に挟み込まれて固定され、細線同軸ケーブル３０は、第1の挟み板７６と第２の挟み板７７とによって固定され、外部導体網シールド３３が、第1の挟み板７６及び第２の挟み板７７→クリップ７５→グランドパターン７４ａを介してグランドコンタクト７３と電気的に接続され、且つ、内部導体芯線３１が信号コンタクト７２と電気的に接続された状態となる。ここで、外部導体網シールド３３が第1の挟み板７６と第２の挟み板７７との間に挟み込まれるため、外部導体網シールド３３と第1、第２の挟み板７６，７７とが接触する面積は広くなり、電気的特性の向上が図られる。また、外部導体網シールド３３が第1の挟み板７６及び第２の挟み板７７によって挟まれていることによって、細線同軸ケーブル３０は引っ張る方向に対して、Uコンタクトによる圧接に比べて強固に固定される。
【００７５】
よって、細線同軸ケーブルコネクタ７０を多数本の細線同軸ケーブル３０の先端側に取り付ける作業は、半田付けを行わずになされ、細線同軸ケーブルを一本ずつ半田付けしていた従来に比べて格段に少ない工数で済む。
【００７６】
[第５実施例]
以下に説明する実施例、即ち、第５乃至第８実施例の細線同軸ケーブルコネクタは、図１６に示す、ドレイン線９５を有する構造の細線同軸ケーブル９００に適用される。
【００７７】
この細線同軸ケーブル９０は、中心から外側に向かって、内部導体芯線９１、内部導体芯線９１を覆う内部絶縁被覆９２、内部絶縁被覆９２を覆う外部導体網シールド９３、外部導体網シールド９３を覆う外部絶縁被覆９４を有し、且つ、内部絶縁被覆９２と外部導体網シールド９３との間を延在しているドレイン線９５を有する構成である。内部導体芯線９１の径ｄ１は約０．３ｍｍであり、ドレイン線９５は更に細く、径ｄ２は約０．１ｍｍである。
【００７８】
図１５（A）、（B）は本発明の第５実施例になる細線同軸ケーブルコネクタ８０を示す。細線同軸ケーブルコネクタ８０は、コネクタ本体８１と、複数対の信号コンタクト８２及びグランドコンタクト８３と、下側のカバー８４と、上側のカバー８５とを有する。図１５（A）中、上側のカバー８５は図示の便宜上表裏反転した状態で示してある。
【００７９】
コネクタ本体８１は、電気絶縁性であり、略直方体形状を有し、前面に相手方のコネクタが挿入されるコネクタ挿入口８１ａを有し、背面側の中央に横向きの仕切り板８１ｂを有する。
【００８０】
信号コンタクト８２は、コネクタ本体８１を貫通して固定してあり、Ｙ１方向の端に、端子部８２ａを有し、コネクタ本体５１より後方（Ｙ２方向）に突き出でいるリード部８２ｂを有し、Ｙ２方向端に、Ｚ１方向に立ち上がっているＵコンタクト部８２ｃを有する形状である。リード部８２ｂ及びＵコンタクト部８２ｃは、仕切り板８１ｂの上面に位置している。Ｕコンタクト部５２ｃは、細線同軸ケーブル９０の内部導体芯線９１に対応する寸法を有する。
【００８１】
グランドコンタクト８３は、コネクタ本体８１を貫通して固定してあり、Ｙ１方向の端に、端子部８３ａを有し、コネクタ本体８１より後方（Ｙ２方向）に突き出でいる直線状のリード部８３ｂを有し、Ｙ２方向端に、Ｚ２方向に向いているＵコンタクト部８３ｃを有する形状である。リード部８３ｂ及びＵコンタクト部８３ｃは仕切り板８１ｂの下面に位置している。Ｕコンタクト部８３ｃは細線同軸ケーブル９０のドレイン線９５に対応する寸法を有する。
【００８２】
下側カバー８４は、電気絶縁性であり、略板状を有し、多数本の細線同軸ケーブル９０をＸ１−Ｘ２方向に整列させた状態で保持する細線同軸ケーブル整線部８４ａと、ドレイン線９５を押さえるドレイン線押さえ部８４ｂとを有する。
【００８３】
上側カバー８５は、電気絶縁性であり、細線同軸ケーブル９０を整線する整線部８５ａと、内部導体芯線９１を押さえる内部導体芯線押さえ部８５ｂとを有する。
【００８４】
上側カバー８５及び下側カバー８４は、コネクタ本体８１の背面側の凹部８１ｃに上下側から嵌合されて取り付けられる。
【００８５】
複数本の細線同軸ケーブル９０の処理されている先端側は、内部導体芯線９１及びドレイン線９５が上下に振り分けられて、内部導体芯線９１が信号コンタクト８２のＵコンタクト部８２ｃ内に圧接され、ドレイン線９５がグランドコンタクト８３のＵコンタクト部８３ｃ内に圧接されて、同軸ケーブル９０自体が上側カバー８５と下側カバー８４とによってクランプ保持されて整線される。
【００８６】
また、上側カバー８５の内部導体芯線押さえ部８５ｂがＵコンタクト部８２ｃ内に圧接されている内部導体芯線９１を押さえる。下側カバー８４のドレイン線押さえ部８４ｂがＵコンタクト部８３ｃ内に圧接されているドレイン線９５を押さえる。
【００８７】
ここで、各ドレイン線９５は対応するグランドコンタクト８３に独立に接続されている。よって、複数のドレイン線を共通のグランド端子に共通に接続させた場合に比べて、良好な電気的特性を有する。
【００８８】
また、各細線同軸ケーブル９０の処理されている先端側は、内部導体芯線９１及びドレイン線９５が仕切り板８１ｂを隔てて上下に振り分けられているため、外部に延びている内部導体芯線９１とドレイン線９５とが接触する危険が確実に回避され、接続の信頼性は向上している。
【００８９】
また、Ｕコンタクト部８２ｃとＵコンタクト部８３ｃとは仕切り板８１ｂを隔てて上下に位置しており、近接しているため、外部に延びている内部導体芯線９１の長さ及びと外部に延びているドレイン線９５の長さは短くなっている。このことによって、電気的特性が良好となっている。
【００９０】
また、細線同軸ケーブル９０は、複数本の細線同軸ケーブルが整列して並んでいるフラット細線同軸ケーブルを裂いたものでもよい。
【００９１】
[第６実施例]
図１６（A）、（B）は本発明の第６実施例になる細線同軸ケーブルコネクタ１００を示す。この細線同軸ケーブルコネクタ１００は、グランドコンタクト８３Aを除いて図１５（A）、（B）に示す細線同軸ケーブルコネクタ８０と同じ構成であり、図１５（A）、（B）に示す細線同軸ケーブルコネクタ８０の構成部分と対応する構成部分には同じ符号を付し、その説明は省略する。
【００９２】
グランドコンタクト８３Aは、上記グランドコンタクト８３のＵコンタクト部８３ｃに代えて板バネ片８３Aｃ１よりなる挟み部８３Aｃを有する構成である。
ドレイン線９５は、挟み部８３Aｃに挟まれて接続される。よって、細いドレイン線９５をＵコンタクト部内に圧入する場合に比べて、ドレイン線９５が接続の際に切断される危険が少なくなる。
【００９３】
[第７実施例]
図１８（A）、（B）、（C）は本発明の第７実施例になる細線同軸ケーブルコネクタ１１０を示す。細線同軸ケーブルコネクタ１１０は、コネクタ本体１１１と、複数対の信号コンタクト１１２及びグランドコンタクト１１３と、下側の整線板部材１１４と、上側の電気絶縁性のカバー１１５とを有し、図１６に示す細線同軸ケーブル９０に適用される。図１８（B）は信号コンタクトの１１２の位置で垂直に断面した図であり、図１８（C）はグランドコンタクトの１１３の位置で垂直に断面した図である。
【００９４】
コネクタ本体１１１は、電気絶縁性であり、略直方体形状を有し、背面側に凹部１１１ａを有する。
【００９５】
信号コンタクト１１２は、コネクタ本体１１１を貫通して固定してあり、Ｙ１方向の端に、端子部１１２ａを有し、コネクタ本体１１１より後方（Ｙ２方向）に突き出でいるリード部１１２ｂを有し、Ｙ２方向端に、下向きの信号Ｕコンタクト部１１２ｃを有する形状である。信号Ｕコンタクト部１１２ｃは、図１６の細線同軸ケーブル９０の内部導体芯線９１に対応する寸法を有する。
【００９６】
グランドコンタクト１１３は、信号コンタクト１１２に対してX２方向の隣りに配されており、コネクタ本体１１１を貫通して固定してあり、Ｙ１方向の端に、端子部１１３ａを有し、コネクタ本体１１１より後方（Ｙ２方向）に突き出でいる直線状のリード部１１３ｂを有し、Ｙ２方向端に、下向きのグランドＵコンタクト部１１３ｃを有する形状である。グランドＵコンタクト部１１３ｃは細線同軸ケーブル９０のドレイン線９５に対応する寸法を有する。
【００９７】
信号Ｕコンタクト部１１２ｃとグランドＵコンタクト部１１３ｃとは、共に下向きである。Y1−Ｙ２方向上、グランドＵコンタクト部１１３ｃは信号Ｕコンタクト部１１２ｃよりY1方向に少しずれている。
【００９８】
整線板部材１１４は、電気絶縁性を有し、複数の同軸ケーブルをX１−X２方向に整線させる同軸ケーブル整線部１１４ａと、整線された同軸ケーブルから延びている内部導体芯線を整線させる内部導体芯線整線部１１４ｂと、整線された同軸ケーブルから延びているドレイン線を整線させるドレイン線整線部１１４ｃとを有する。整線板部材１１４は、更に、内部導体芯線整線部１１４ｂに信号Uコンタクト部１１２ｃが係合するスリット状の信号Uコンタクト部用係合穴１１４ｄを有し、ドレイン線整線部１１４ｃにグランドUコンタクト部１１３ｃが係合するスリット状のグランドUコンタクト部用係合穴１１４ｅを有する。
【００９９】
整線板部材１１４は、コネクタ本体１１１の背面側の凹部１１１ａに下側から嵌合されて取り付けられる。カバー１１５は、コネクタ本体１１１の背面側の凹部１１１ａに上側から嵌合されて取り付けられる。
【０１００】
複数本の同軸ケーブル９０の処理されている先端側は、以下に述べる手順で細線同軸ケーブルコネクタ１１０に接続される。
【０１０１】
まず、同軸ケーブル９０の処理されている先端側を、一本ずつ、その内部導体芯線９１を内部導体芯線整線部１１４ｂに嵌合させて位置を定めて整線させ、且つ、ドレイン線９５をドレイン線整線部１１４ｃに嵌合させて位置を定めて整線させ、且つ、外部絶縁被覆９４を同軸ケーブル整線部１１４ａに嵌合させて位置を定めて同軸ケーブル９０自体を整線させる。ドレイン線９５は内部導体芯線９１の隣りに配されるため、上記の整線作業はしやすい。
【０１０２】
次いで、同軸ケーブル９０が整線された整線板部材１１４を下側から嵌合させると共に、カバー１１５を上側から嵌合させる。このときに、図１８（B）に示すように、信号Uコンタクト部１１２ｃが内部導体芯線９１と圧接しつつ信号Uコンタクト部用係合穴１１４ｄ内に係合され、且つ、図１８（C）に示すように、グランドUコンタクト部１１３ｃがドレイン線９５と圧接しつつグランドUコンタクト部用係合穴１１４ｅ内に係合される。
【０１０３】
よって、複数本の同軸ケーブル９０の内部導体芯線９１の信号Uコンタクト部１１２ｃへの圧接及びドレイン線９５のグランドUコンタクト部１１３ｃへの圧接は一括して、且つ、安定になされる。
【０１０４】
また、信号Uコンタクト部１１２ｃが信号Uコンタクト部用係合穴１１４ｄに係合し、且つ、グランドUコンタクト部１１３ｃがグランドUコンタクト部用係合穴１１４ｅに係合する構成であるため、信号Uコンタクト部１１２ｃ及びグランドUコンタクト部１１３ｃは、堅固に固定され、よって、内部導体芯線９１及の信号コンタクト１１２との電気的接続及びドレイン線９５のグランドコンタクト１１４との電気的接続はより確実になされる。
【０１０５】
[第８実施例]
図１９（A）、（B）は本発明の第８実施例になる細線同軸ケーブルコネクタ１２０を示す。細線同軸ケーブルコネクタ１２０は、コネクタ本体１２１と、複数対の信号コンタクト１２２及びグランドコンタクト１２３と、中継回路基板１２４と、整線部材１２５とを有し、図１６に示す細線同軸ケーブル９０に適用される。
【０１０６】
コネクタ本体１２１は、電気絶縁性であり、略直方体形状を有する。
【０１０７】
信号コンタクト１２２は、コネクタ本体１２１を貫通して固定してあり、Ｙ１方向の端に接続用の端子部１２２ａを有し、コネクタ本体１２１より後方（Ｙ２方向）に突き出して半田付け用の端子部１２２ｂを有する。
【０１０８】
グランドコンタクト１２３は、コネクタ本体１２１を貫通して固定してあり、Ｙ１方向の端に接続用の端子部１２３ａを有し、コネクタ本体１２１より後方（Ｙ２方向）に突き出して半田付け用の端子部１２３ｂを有する。
【０１０９】
中継回路基板１２４は、図１中の中継回路基板１４と略同様に、上面には、信号コンタクト１２２に対応して、端子パッド１２４ａ，１２４ｂ及びこの間を接続する配線パターン１２４ｃが形成してあり、下面には，べたのグランドパターン１２４ｄ及びグランドコンタクト１２３に対応した端子パッド１２４ｅが形成してある。
【０１１０】
この中継回路基板１２４は、信号コンタクト１２２の半田付け用の端子部１２２ｂとグランドコンタクト１２３の半田付け用の端子部１２３ｂとの間に挟まれて、且つ、端子パッド１２４ａと信号コンタクト１２２の半田付け用の端子部１２２ｂとが半田付けされ、端子パッド１２４ｂとグランドコンタクト１２４の半田付け用の端子部１２４ｂとが半田付けされており、コネクタ本体１２１の背面側からＹ２方向に突き出ている。
【０１１１】
整線部材１２５は、電気導通性であり、同軸ケーブル９０が貫通する同軸ケーブル整線孔１２５ａを信号コンタクト１２２に対応する配置で有し、且つ、各同軸ケーブル整線孔１２５ａ毎にドレイン線が押し込まれる形状のドレイン線整線溝１２５ｂを有する。ドレイン線整線溝１２５ｂは、整線部材１２５のY１側の面１２５ｃに整線部材１２５の上面１２５ｄに抜けるように、同軸ケーブル整線孔１２５ａのY１側の開口よりZ１方向に延在して形成してある。このドレイン線整線溝１２５ｂは、上方向に折り曲げられたドレイン線９５が押し込まれる寸法形状を有する。
【０１１２】
また、整線部材１２５は、面１２５ｃ側のフォーク形状部１２５ｅが中継回路基板１２４のY２端をクランプしてグランドパターン１２４ｄと半田付けされており、同軸ケーブル整線孔１２５ａが信号コンタクト１２２に対応する配置で、中継回路基板１２４に固定してあり、且つ、グランドコンタクト１２４と電気的に接続されている。
【０１１３】
複数本の同軸ケーブル９０の処理されている先端側は、以下に述べる手順で細線同軸ケーブルコネクタ１２０に接続される。
【０１１４】
まず、同軸ケーブル９０の処理されている先端側を、一本ずつ、整線部材１２５の同軸ケーブル整線孔１２５ａに通し、内部導体芯線９１を端子パッド１２４ｂに半田付けする。これによって、同軸ケーブル９０の先端部が整線部材１２５の同軸ケーブル貫通孔１２５ａに嵌合して保持されて整線される。
【０１１５】
次いで、ドレイン線９５を上方に折り曲げて、ドレイン線整線溝１２５に嵌合させて保持させる。ドレイン線９５はドレイン線整線溝１２５ｂに圧接された状態となって整線される。
【０１１６】
ドレイン線９５を整線する作業は、同軸ケーブル９０が整線されている状態で行われるため、作業はしやすい。
【発明の効果】
以上説明したように請求項１の発明は、電気絶縁性のコネクタ本体と、該コネクタ本体に対を構成して複数対並んで設けてある信号コンタクト及びグランドコンタクトとを有し、各同軸ケーブルが、中心から外側に向かって、内部導体芯線、該内部導体芯線を覆う内部絶縁被覆、該内部絶縁被覆を覆う外部導体網シールド、該外部導体網シールドを覆う外部絶縁被覆を有する構造であり、先端側が処理されて整列している複数本の上記同軸ケーブルの先端に設けられる同軸ケーブルコネクタにおいて、
上記各対を構成する信号コンタクト及びグランドコンタクトは、該コネクタ本体より後方へ突き出ている先端側にＵコンタクト部を有する構成であり、
電気絶縁性を有し、上記コネクタ本体に固定してあり、該信号コンタクト及びグランドコンタクトの該コネクタ本体より後方へ突き出ている部分を支持するコンタクト支持板部材と、
上記複数本の上記同軸ケーブルの処理されている先端側を整列させて支持する同軸ケーブル整列支持部を有し、且つ、上記外部導体網シールドが係合する外部導体網シールド係合金具を有し、上記信号コンタクトのＵコンタクト部及びグランドコンタクトのＵコンタクト部を覆って、上記コンタクト支持板部材の上側に固定された圧接カバーとを有し、
上記外部導体網シールド係合金具は、ばね力によって密着している二枚の板部を有するクリップ状であって、上記各板部に上記外部導体網シールドに対応する大きさのＵ字形状の溝部が形成してあり、上記圧接カバーが上記コンタクト支持板部材の上側に固定されたときに、上記二枚の板部が上記グランドコンタクトの上記Ｕコンタクト部を挟んで、且つ、上記Ｕ字形状の溝部が上記グランドコンタクトの上記Ｕコンタクト部と対向する構成であり、
上記複数本の上記同軸ケーブルの処理されている先端側は、該内部導体芯線が、上記信号コンタクトのＵコンタクト部内に圧接され、上記外部導体網シールドが上記外部導体網シールド係合金具の上記Ｕ字形状の溝部と上記グランドコンタクトのＵコンタクト部との間に挟まれ且つ圧接されるようにしたものであるため、
複数本の同軸ケーブルの処理されている先端側を同軸ケーブルコネクタに接続させる際に、半田付け作業が不要となり、よって、複数本の同軸ケーブルの先端側を接続する作業を少ない作業工数で行うことが出来、且つ、半田付け作業に起因するトラブルの発生が回避され、よって、複数本の同軸ケーブルとの接続の信頼性の向上を図ることが出来る。
【０１１７】
また、外部導体網シールドが外部導体網シールド係合金具とグランドコンタクトのＵコンタクト部との間に挟まれるため、圧接力は全周囲から付与され、よって、内部絶縁被覆が柔らかい材質である場合にも、内部絶縁被覆が楕円形に変形するようなことは起きず、これによって、外部導体網シールドの圧接がしっかりとなされるように出来る。
【０１１８】
請求項２の発明は、電気絶縁性のコネクタ本体と、該コネクタ本体に対を構成して複数対並んで設けてある信号コンタクト及びグランドコンタクトとを有し、各同軸ケーブルが、中心から外側に向かって、内部導体芯線、該内部導体芯線を覆う内部絶縁被覆、該内部絶縁被覆を覆う外部導体網シールド、該外部導体網シールドを覆う外部絶縁被覆を有する構造であり、先端側が処理されている複数本の上記同軸ケーブルの先端に設けられる同軸ケーブルコネクタにおいて、
上記各対を構成する信号コンタクト及びグランドコンタクトは、
該コネクタ本体より後方へ突き出ているリード部が上記同軸ケーブルコネクタの高さ方向上重なっており、各リード部の先端側にＵコンタクト部を有し、該信号コンタクトのＵコンタクト部が該グランドコンタクトのＵコンタクト部より該コネクタ本体に近くに位置し、且つ上記グランドコンタクトのリード部に上記信号コンタクトのＵコンタクト部を露出させる開口を有してなり、
上記同軸ケーブルの処理されている先端側は、上記グランドコンタクトのリード部の開口を通り抜けて、上記内部導体芯線が信号コンタクトのＵコンタクト部内に押し込まれて圧接され、上記外部導体網シールドがグランドコンタクトのＵコンタクト部内に押し込まれて圧接されるようにしたものであるため、複数本の同軸ケーブルの処理されている先端側を同軸ケーブルコネクタに接続させる際に、半田付け作業が不要となり、よって、複数本の同軸ケーブルの先端側を接続する作業を少ない作業工数で行うことが出来、且つ、半田付け作業に起因するトラブルの発生が回避され、よって、複数本の同軸ケーブルとの接続の信頼性の向上を図ることが出来る。
【０１１９】
また、グランドコンタクトのリード部に開口を設けたことによって、上側から見て、グランドコンタクトのリード部と信号コンタクトのリード部とが重なった位置関係にあっても、同軸ケーブルの内部導体芯線を信号コンタクトのＵコンタクト部内に押し込む作業及び外部導体網シールドをグランドコンタクトのＵコンタクト部内に押し込む作業を簡単に行うことが出来る。
【０１２０】
請求項３の発明は、電気絶縁性のコネクタ本体と、該コネクタ本体に対を構成して複数対並んで設けてある信号コンタクト及びグランドコンタクトとを有し、各同軸ケーブルが、中心から外側に向かって、内部導体芯線、該内部導体芯線を覆う内部絶縁被覆、該内部絶縁被覆を覆う外部導体網シールド、該外部導体網シールドを覆う外部絶縁被覆を有する構造であり、先端側が処理されている複数本の上記同軸ケーブルの先端に設けられる同軸ケーブルコネクタにおいて、
上記信号コンタクトは、該コネクタ本体より後方へ突き出ているリード部の端側にＵコンタクト部を有する構成であり、
上記信号コンタクトと対をなすグランドコンタクトは、該コネクタ本体より後方へ突き出ているリード部の先端側に、該リード部の先端に形成してあって前記外部導体網シールドを突き破って上記内部絶縁被覆を突き刺す形状の突き刺し用尖部を有するＵ字形状部が、Ｕ字形状部材の内側に圧入された構成の尖部付きＵコンタクト部を有する構成であり、
先端に前記内部導体芯線が露出し且つ前記外部絶縁被覆が途中の一部で削除されて外部導体網シールドの一部が露出されるように処理されている上記同軸ケーブルの先端側が上記内部導体芯線が信号コンタクトのＵコンタクト部内に押し込まれて圧接され、上記の露出している外部導体網シールドの部分がグランドコンタクトの尖部付きＵコンタクト部内に押し込まれて、前記外部導体網シールドが前記Ｕ字形状部材に圧接され、上記尖部が上記の露出している外部導体網シールドを突き破って上記内部絶縁被覆に突き刺さった状態となるようにしたものであるため、複数本の同軸ケーブルの処理されている先端側を同軸ケーブルコネクタに接続させる際に、半田付け作業が不要となり、よって、複数本の同軸ケーブルの先端側を接続する作業を少ない作業工数で行うことが出来、且つ、半田付け作業に起因するトラブルの発生が回避され、よって、複数本の同軸ケーブルとの接続の信頼性の向上を図ることが出来る。
【０１２１】
また、内部絶縁被覆が尖部によって突き刺されるため、同軸ケーブルと同軸ケーブルコネクタとの接続が、単に圧接だけの場合よりしっかりなされ、同軸ケーブルがひどく振動したような場合でも外れることが起きないように出来る。
【０１２２】
請求項４の発明は、電気絶縁性のコネクタ本体と、該コネクタ本体に対を構成して複数対並んで設けてある信号コンタクト及びグランドコンタクトとを有し、各同軸ケーブルが、中心から外側に向かって、内部導体芯線、該内部導体芯線を覆う内部絶縁被覆、該内部絶縁被覆を覆う外部導体網シールド、該外部導体網シールドを覆う外部絶縁被覆を有する構造であり、先端側が処理されている複数本の上記同軸ケーブルの先端に設けられる同軸ケーブルコネクタにおいて、
上記コネクタ本体は、背面側に金属板バネ製のクリップを有し、
上記信号コンタクトは、該コネクタ本体より後方へ突き出ているリード部の端側にＵコンタクト部を有する構成であり、
上記信号コンタクトと対をなすグランドコンタクトは、上記金属板バネ製のクリップと電気的に接続してあり、
上記同軸ケーブルの外部絶縁被覆の径に対応する大きさの外部絶縁被覆用貫通穴を、上記信号コンタクトと対応する配置で複数有する金属製の第1の挟み板と、
上記同軸ケーブルの内部絶縁被覆の径に対応する大きさの内部絶縁被覆用貫通穴を、上記外部絶縁被覆用貫通穴と対応する配置で複数有する金属製の第２の挟み板とを有し、
上記同軸ケーブルの処理されている先端側が外部絶縁被覆用貫通穴と内部絶縁被覆用貫通穴とを貫通されている状態で、上記第1の挟み板と上記第２の挟み板とが接近されて、上記外部導体網シールドを上記第1の挟み板と上記第２の挟み板との間に挟み込む構成であり、
上記金属板バネ製のクリップは、接近された第1の挟み板と上記第２の挟み板とを弾性的に挟み込む構成であり、
上記同軸ケーブルの処理されている先端側は、上記内部導体芯線が信号コンタクトのＵコンタクト部内に押し込まれて圧接され、上記外部導体網シールドが上記金属板バネ製のクリップ内に挟み込まれた上記第1の挟み板と上記第２の挟み板との間に挟み込まれるようにしたものであるため、複数本の同軸ケーブルの処理されている先端側を同軸ケーブルコネクタに接続させる際に、半田付け作業が不要となり、よって、複数本の同軸ケーブルの先端側を接続する作業を少ない作業工数で行うことが出来、且つ、半田付け作業に起因するトラブルの発生が回避され、よって、複数本の同軸ケーブルとの接続の信頼性の向上を図ることが出来る。
【０１２３】
また、外部導体網シールドが第1の挟み板と第２の挟み板との間に挟み込まれるため、外部導体網シールドと第1、第２の挟み板とが接触する面積を広くすることが出来、電気的特性の向上を図ることが出来、且つ、同軸ケーブルが引っ張られた場合に同軸ケーブルを接続状態に拘束する能力を高めることが出来る。
【０１３０】
請求項５の発明は、電気絶縁性を有するコネクタ本体と該コネクタ本体に対を構成して複数対並んで設けてある信号コンタクト及びグランドコンタクトとを有し、中心から外側に向かって、内部導体芯線、該内部導体芯線を覆う内部絶縁被覆、該内部絶縁被覆を覆う外部導体網シールド、該外部導体網シールドを覆う外部絶縁被覆を有し、且つ、内部絶縁被覆と外部導体網シールドとの間を延在しているドレイン線を有する構成である複数本の同軸ケーブルの先端に設けられる同軸ケーブルコネクタにおいて、
上記コネクタ本体の後方に、上記の信号コンタクトの半田付け用の端子部及びグランドコンタクトの半田付け用の端子部との間に挟まれて半田付けされて、固定された中継回路基板を有し、
整線部材を上記グランドコンタクトと電気的に接続した状態で、上記中継回路基板に固定して設け、
該整線部材は、電気導通性であり、同軸ケーブルが貫通する同軸ケーブル整線孔を上記信号コンタクトに対応する配置で有し、且つ、各同軸ケーブル整線孔毎に、該同軸ケーブル整線孔より上方へ延在しており、折り曲げられたドレイン線が押し込まれるドレイン線整線溝を有し、
同軸ケーブルの先端部が整線部材の同軸ケーブル貫通孔に嵌合して保持されて整線され、折り曲げたドレイン線がドレイン線整線溝に嵌合して保持されて整線されるようにしたものであるため、複数本の同軸ケーブルの処理されている先端側のドレイン線を同軸ケーブルコネクタに接続させる際に、半田付け作業が不要となり、よって、複数本の同軸ケーブルの先端側を接続する作業を少ない作業工数で行うことが出来、且つ、半田付け作業に起因するトラブルの発生が回避され、よって、複数本の同軸ケーブルとの接続の信頼性の向上を図ることが出来る。
【０１３１】
また、ドレイン線を整線する作業は、同軸ケーブルが整線されている状態で行われるため、ドレイン線を整線する作業を作業性良く行うことが出来る。
【図面の簡単な説明】
【図１】従来の細線同軸ケーブルコネクタを示す図である。
【図２】図１中の細線同軸ケーブルの先端部を示す図である。
【図３】本発明の第１実施例の細線同軸ケーブルコネクタの斜視図である。
【図４】図３中、Y−Z面ＩＶで切断した断面図である。
【図５】図３の細線同軸ケーブルコネクタの分解斜視図である。
【図６】圧接カバーの一部を拡大して示す図である。
【図７】圧接カバーに複数本の細線同軸ケーブルが整線された状態を示す図である。
【図８】図４中、金具４６を設けない場合の圧接状態を示す図である。
【図９】本発明の第２実施例の細線同軸ケーブルコネクタ示す図である。
【図１０】本発明の第３実施例の細線同軸ケーブルコネクタ示す図である。
【図１１】図１０中、グランドコンタクトを示す図である。
【図１２】図１０中、細線同軸ケーブルコネクタのグランドコンタクトへの圧接状態を示す図である。
【図１３】本発明の第４実施例の細線同軸ケーブルコネクタ示す図である。
【図１４】図１３中、外部導体網シールド挟み板機構を示す図である。
【図１５】本発明の第３実施例の細線同軸ケーブルコネクタ示す図である。
【図１６】図１５のコネクタに適用される細線同軸ケーブルを示す図である。
【図１７】図１３中、外部導体網シールド挟み板機構を示す図である。
【図１８】本発明の第７実施例の細線同軸ケーブルコネクタ示す図である。
【図１９】本発明の第８実施例の細線同軸ケーブルコネクタ示す図である。
【符号の説明】
３０、９０  細線同軸ケーブル
３１，９１  内部導体芯線
３３，９３  外部導体網シールド
９５  ドレイン線
４０，５０、６０、７０、８０、１００、１１０、１２０  細線同軸ケーブルコネクタ
４１，５１、６１，７１、８１、１０１、１２１  コネクタ本体
４２、５２、６２、７２、８２、１１２  信号コンタクト
４３、５３、６３、７３、８３、８３Ａ、１１３  グランドコンタクト
４２ｃ，４３ｃ、５２ｃ，５３ｃ、６２ｃ，６３ｃ、７２ｃ、８２ｃ，８３ｃ
１１２ｃ，１１３ｃ  Uコンタクト
５３ｅ  開口
６３Ａ１，６３Ａ２  突き刺し用尖部
６３Ｂ  U字形状部材
８３Ａｃ  挟み部
８３Ａｃ１  板バネ片
４４  コンタクト支持板部材
４５  圧接カバー
４６  金具
７４  支持板
７５  クリップ
７６  第1の挟み板
７７  第２の挟み板
８１ｂ  仕切り板
８４  下側カバー
８５  上側カバー
１１４  整線板部材
１１５  カバー
１２４  中継回路基板
１２５  整線部材
１２５ａ  同軸ケーブル整線孔
１２５ｂ  ドレイン線整線溝
【図１】
0004308395.tif 000002
【図２】
0004308395.tif 000003
【図３】
0004308395.tif 000004
【図４】
0004308395.tif 000005
【図５】
0004308395.tif 000006
【図６】
0004308395.tif 000007
【図７】
0004308395.tif 000008
【図８】
0004308395.tif 000009
【図９】
0004308395.tif 000010
【図１０】
0004308395.tif 000011
【図１１】
0004308395.tif 000012
【図１２】
0004308395.tif 000013
【図１３】
0004308395.tif 000014
【図１４】
0004308395.tif 000015
【図１５】
0004308395.tif 000016
【図１６】
0004308395.tif 000017
【図１７】
0004308395.tif 000018
【図１８】
0004308395.tif 000019
【図１９】
0004308395.tif 000020